【手続補正書】
【提出日】平成25年5月24日(2013.5.24)
【手続補正１】
【補正対象書類名】特許請求の範囲
【補正対象項目名】全文
【補正方法】変更
【補正の内容】
【特許請求の範囲】
【請求項１】
基地局装置と通信する端末装置であって、
PUSCHの復調に用いられるDMRSにOCCを使用するか否かを示すRRC情報と、単一のアンテナポートで送信されるPUSCHのスケジューリングのために用いられるDCIとを受信するように構成された受信部と、
前記受信されたRRC情報に基づいてDMRSにOCCが使用されるか否かを設定するように構成された無線リソース制御部と、
RS系列に、所定の系列を乗算することによって得られるDMRS系列から、DMRSを生成するように構成された生成部と、
前記DCIによってスケジュールされるPUSCHと共に前記DMRSを送信するように構成された送信部と、を備え、
前記受信されたRRC情報に基づいてDMRSにOCCが使用されないよう設定されている場合に、前記DCIによってスケジュールされるPUSCHと共に送信される前記DMRSの生成に関連する前記所定の系列は[1 1]であり、
temporary C-RNTIが前記DCIの送信に用いられた場合に、前記DCIによってスケジュールされるPUSCHと共に送信される前記DMRSの生成に関連する前記所定の系列は[1 1]であり、
前記受信されたRRC情報に基づいてDMRSにOCCが使用されるよう設定され、且つ、temporary C-RNTIが前記DCIの送信に用いられなかった場合、前記DCIによってスケジュールされるPUSCHと共に送信される前記DMRSの生成に関連する前記所定の系列は、前記DCIに含まれるサイクリックシフト情報に基づいて特定され、[1 1]および[1 -1]のうち何れかである
ことを特徴とする端末装置。
【請求項２】
前記受信されたRRC情報に基づいてDMRSにOCCが使用されるか否かが設定されるまで、前記DCIによってスケジュールされるPUSCHと共に送信される前記DMRSの生成に関連する前記特定される系列は[1 1]である
ことを特徴とする請求項１に記載の端末装置。
【請求項３】
端末装置と通信する基地局装置であって、
PUSCHの復調に用いられるDMRSに前記端末装置がOCCを使用するか否かを指示するように構成された無線リソース制御部と、
前記DMRSに前記OCCを使用するか否かを示すRRC情報と、単一のアンテナポートで送信されるPUSCHのスケジューリングのために用いられるDCIとを送信するように構成された送信部と、
前記DCIによってスケジュールされるPUSCHと共に前記DMRSを受信し、
RS系列に所定の系列を乗算することによって得られるDMRS系列から生成される前記DMRSを用いることによって前記PUSCHを復調するように構成された受信部と、を備え、
前記端末装置がDMRSにOCCを使用しない場合に、前記DCIによってスケジュールされるPUSCHと共に受信される前記DMRSの生成に関連する前記所定の系列は[1 1]であり、
temporary C-RNTIが前記DCIの送信に用いられた場合に、前記DCIによってスケジュールされるPUSCHと共に受信される前記DMRSの生成に関連する前記所定の系列は[1 1]であり、
前記端末装置がDMRSにOCCを使用し、且つ、temporary C-RNTIが前記DCIの送信に用いられなかった場合、前記DCIによってスケジュールされるPUSCHと共に受信される前記DMRSの生成に関連する前記所定の系列は、前記DCIに含まれるサイクリックシフト情報に基づいて、[1 1]および[1 -1]のうち何れか一方が選択される
ことを特徴とする基地局装置。
【請求項４】
前記RRC情報が送信されるまで、前記DCIによってスケジュールされるPUSCHと共に受信される前記DMRSの生成に関連する前記所定の系列は[1 1]である
ことを特徴とする請求項３に記載の基地局装置。
【請求項５】
基地局装置と通信する端末装置に用いられる方法であって、
PUSCHの復調に用いられるDMRSにOCCを使用するか否かを示すRRC情報と、単一のアンテナポートで送信されるPUSCHのスケジューリングのために用いられるDCIとを受信する手段と、
前記受信されたRRC情報に基づいてDMRSにOCCが使用されるか否かを設定する手段と、
RS系列に、所定の系列を乗算することによって得られるDMRS系列から、DMRSを生成する手段と、
前記DCIによってスケジュールされるPUSCHと共に前記DMRSを送信する手段と、を有し、
前記受信されたRRC情報に基づいてDMRSにOCCが使用されないよう設定されている場合に、前記DCIによってスケジュールされるPUSCHと共に送信される前記DMRSの生成に関連する前記所定の系列は[1 1]であり、
temporary C-RNTIが前記DCIの送信に用いられた場合に、前記DCIによってスケジュールされるPUSCHと共に送信される前記DMRSの生成に関連する前記所定の系列は[1 1]であり、
前記受信されたRRC情報に基づいてDMRSにOCCが使用されるよう設定され、且つ、temporary C-RNTIが前記DCIの送信に用いられなかった場合、前記DCIによってスケジュールされるPUSCHと共に送信される前記DMRSの生成に関連する前記所定の系列は、前記DCIに含まれるサイクリックシフト情報に基づいて特定され、[1 1]および[1 -1]のうち何れかである
ことを特徴とする無線通信方法。
【請求項６】
端末装置と通信する基地局装置に用いられる方法であって、
PUSCHの復調に用いられるDMRSに前記端末装置がOCCを使用するか否かを指示する手段と、
前記DMRSに前記OCCを使用するか否かを示すRRC情報と、単一のアンテナポートで送信されるPUSCHのスケジューリングのために用いられるDCIとを送信する手段と、
前記DCIによってスケジュールされるPUSCHと共に前記DMRSを受信する手段と、
RS系列に所定の系列を乗算することによって得られるDMRS系列から生成される前記DMRSを用いることによって前記PUSCHを復調する手段と、を有し、
前記端末装置がDMRSにOCCを使用しない場合に、前記DCIによってスケジュールされるPUSCHと共に受信される前記DMRSの生成に関連する前記所定の系列は[1 1]であり、
temporary C-RNTIが前記DCIの送信に用いられた場合に、前記DCIによってスケジュールされるPUSCHと共に受信される前記DMRSの生成に関連する前記所定の系列は[1 1]であり、
前記端末装置がDMRSにOCCを使用し、且つ、temporary C-RNTIが前記DCIの送信に用いられなかった場合、前記DCIによってスケジュールされるPUSCHと共に受信される前記DMRSの生成に関連する前記所定の系列は、前記DCIに含まれるサイクリックシフト情報に基づいて、[1 1]および[1 -1]のうち何れか一方が選択される
ことを特徴とする無線通信方法。
【請求項７】
基地局装置と通信する端末装置に実装される集積回路であって、
PUSCHの復調に用いられるDMRSにOCCを使用するか否かを示すRRC情報と、単一のアンテナポートで送信されるPUSCHのスケジューリングのために用いられるDCIとを受信する機能と、
前記受信されたRRC情報に基づいてDMRSにOCCが使用されるか否かを設定する機能と、
RS系列に、所定の系列を乗算することによって得られるDMRS系列から、DMRSを生成する機能と、
前記DCIによってスケジュールされるPUSCHと共に前記DMRSを送信する機能と、を含む一連の機能を前記端末装置に発揮させ、
前記受信されたRRC情報に基づいてDMRSにOCCが使用されないよう設定されている場合に、前記DCIによってスケジュールされるPUSCHと共に送信される前記DMRSの生成に関連する前記所定の系列は[1 1]であり、
temporary C-RNTIが前記DCIの送信に用いられた場合に、前記DCIによってスケジュールされるPUSCHと共に送信される前記DMRSの生成に関連する前記所定の系列は[1 1]であり、
前記受信されたRRC情報に基づいてDMRSにOCCが使用されるよう設定され、且つ、temporary C-RNTIが前記DCIの送信に用いられなかった場合、前記DCIによってスケジュールされるPUSCHと共に送信される前記DMRSの生成に関連する前記所定の系列は、前記DCIに含まれるサイクリックシフト情報に基づいて特定され、[1 1]および[1 -1]のうち何れかである
ことを特徴とする集積回路。
【手続補正２】
【補正対象書類名】明細書
【補正対象項目名】０００９
【補正方法】変更
【補正の内容】
【０００９】
（１）上記の目的を達成するために、本発明は、以下のような手段を講じた。すなわち、本発明の端末装置は、基地局装置と通信する端末装置であって、PUSCHの復調に用いられるDMRSにOCCを使用するか否かを示すRRC情報と、単一のアンテナポートで送信されるPUSCHのスケジューリングのために用いられるDCIとを受信するように構成された受信部と、前記受信されたRRC情報に基づいてDMRSにOCCが使用されるか否かを設定するように構成された無線リソース制御部と、RS系列に、所定の系列を乗算することによって得られるDMRS系列から、DMRSを生成するように構成された生成部と、前記DCIによってスケジュールされるPUSCHと共に前記DMRSを送信するように構成された送信部と、を備え、前記受信されたRRC情報に基づいてDMRSにOCCが使用されないよう設定されている場合に、前記DCIによってスケジュールされるPUSCHと共に送信される前記DMRSの生成に関連する前記所定の系列は[1 1]であり、temporary C-RNTIが前記DCIの送信に用いられた場合に、前記DCIによってスケジュールされるPUSCHと共に送信される前記DMRSの生成に関連する前記所定の系列は[1 1]であり、前記受信されたRRC情報に基づいてDMRSにOCCが使用されるよう設定され、且つ、temporary C-RNTIが前記DCIの送信に用いられなかった場合、前記DCIによってスケジュールされるPUSCHと共に送信される前記DMRSの生成に関連する前記所定の系列は、前記DCIに含まれるサイクリックシフト情報に基づいて特定され、[1 1]および[1 -1]のうち何れかであることを特徴としている。
【手続補正３】
【補正対象書類名】明細書
【補正対象項目名】００１０
【補正方法】変更
【補正の内容】
【００１０】
（２）また、本発明は、上記の端末装置において、前記受信されたRRC情報に基づいてDMRSにOCCが使用されるか否かが設定されるまで、前記DCIによってスケジュールされるPUSCHと共に送信される前記DMRSの生成に関連する前記特定される系列は[1 1]であることを特徴としている。
【手続補正４】
【補正対象書類名】明細書
【補正対象項目名】００１１
【補正方法】変更
【補正の内容】
【００１１】
（３）また、本発明の基地局装置は、端末装置と通信する基地局装置であって、PUSCHの復調に用いられるDMRSに前記端末装置がOCCを使用するか否かを指示するように構成された無線リソース制御部と、前記DMRSに前記OCCを使用するか否かを示すRRC情報と、単一のアンテナポートで送信されるPUSCHのスケジューリングのために用いられるDCIとを送信するように構成された送信部と、前記DCIによってスケジュールされるPUSCHと共に前記DMRSを受信し、RS系列に所定の系列を乗算することによって得られるDMRS系列から生成される前記DMRSを用いることによって前記PUSCHを復調するように構成された受信部と、を備え、前記端末装置がDMRSにOCCを使用しない場合に、前記DCIによってスケジュールされるPUSCHと共に受信される前記DMRSの生成に関連する前記所定の系列は[1 1]であり、temporary C-RNTIが前記DCIの送信に用いられた場合に、前記DCIによってスケジュールされるPUSCHと共に受信される前記DMRSの生成に関連する前記所定の系列は[1 1]であり、前記端末装置がDMRSにOCCを使用し、且つ、temporary C-RNTIが前記DCIの送信に用いられなかった場合、前記DCIによってスケジュールされるPUSCHと共に受信される前記DMRSの生成に関連する前記所定の系列は、前記DCIに含まれるサイクリックシフト情報に基づいて、[1 1]および[1 -1]のうち何れか一方が選択されることを特徴としている。
【手続補正５】
【補正対象書類名】明細書
【補正対象項目名】００１２
【補正方法】変更
【補正の内容】
【００１２】
（４）また、本発明は、上記の基地局装置において、前記RRC情報が送信されるまで、前記DCIによってスケジュールされるPUSCHと共に受信される前記DMRSの生成に関連する前記所定の系列は[1 1]であることを特徴としている。
【手続補正６】
【補正対象書類名】明細書
【補正対象項目名】００１３
【補正方法】変更
【補正の内容】
【００１３】
（５）また、本発明の無線通信方法は、基地局装置と通信する端末装置に用いられる方法であって、PUSCHの復調に用いられるDMRSにOCCを使用するか否かを示すRRC情報と、単一のアンテナポートで送信されるPUSCHのスケジューリングのために用いられるDCIとを受信する手段と、前記受信されたRRC情報に基づいてDMRSにOCCが使用されるか否かを設定する手段と、RS系列に、所定の系列を乗算することによって得られるDMRS系列から、DMRSを生成する手段と、前記DCIによってスケジュールされるPUSCHと共に前記DMRSを送信する手段と、を有し、前記受信されたRRC情報に基づいてDMRSにOCCが使用されないよう設定されている場合に、前記DCIによってスケジュールされるPUSCHと共に送信される前記DMRSの生成に関連する前記所定の系列は[1 1]であり、temporary C-RNTIが前記DCIの送信に用いられた場合に、前記DCIによってスケジュールされるPUSCHと共に送信される前記DMRSの生成に関連する前記所定の系列は[1 1]であり、前記受信されたRRC情報に基づいてDMRSにOCCが使用されるよう設定され、且つ、temporary C-RNTIが前記DCIの送信に用いられなかった場合、前記DCIによってスケジュールされるPUSCHと共に送信される前記DMRSの生成に関連する前記所定の系列は、前記DCIに含まれるサイクリックシフト情報に基づいて特定され、[1 1]および[1 -1]のうち何れかであることを特徴としている。
【手続補正７】
【補正対象書類名】明細書
【補正対象項目名】００１４
【補正方法】変更
【補正の内容】
【００１４】
（６）また、本発明の無線通信方法は、端末装置と通信する基地局装置に用いられる方法であって、PUSCHの復調に用いられるDMRSに前記端末装置がOCCを使用するか否かを指示する手段と、前記DMRSに前記OCCを使用するか否かを示すRRC情報と、単一のアンテナポートで送信されるPUSCHのスケジューリングのために用いられるDCIとを送信する手段と、前記DCIによってスケジュールされるPUSCHと共に前記DMRSを受信する手段と、RS系列に所定の系列を乗算することによって得られるDMRS系列から生成される前記DMRSを用いることによって前記PUSCHを復調する手段と、を有し、前記端末装置がDMRSにOCCを使用しない場合に、前記DCIによってスケジュールされるPUSCHと共に受信される前記DMRSの生成に関連する前記所定の系列は[1 1]であり、temporary C-RNTIが前記DCIの送信に用いられた場合に、前記DCIによってスケジュールされるPUSCHと共に受信される前記DMRSの生成に関連する前記所定の系列は[1 1]であり、前記端末装置がDMRSにOCCを使用し、且つ、temporary C-RNTIが前記DCIの送信に用いられなかった場合、前記DCIによってスケジュールされるPUSCHと共に受信される前記DMRSの生成に関連する前記所定の系列は、前記DCIに含まれるサイクリックシフト情報に基づいて、[1 1]および[1 -1]のうち何れか一方が選択されることを特徴としている。
【手続補正８】
【補正対象書類名】明細書
【補正対象項目名】００１５
【補正方法】変更
【補正の内容】
【００１５】
（７）また、本発明の集積回路は、基地局装置と通信する端末装置に実装される集積回路であって、PUSCHの復調に用いられるDMRSにOCCを使用するか否かを示すRRC情報と、単一のアンテナポートで送信されるPUSCHのスケジューリングのために用いられるDCIとを受信する機能と、前記受信されたRRC情報に基づいてDMRSにOCCが使用されるか否かを設定する機能と、RS系列に、所定の系列を乗算することによって得られるDMRS系列から、DMRSを生成する機能と、前記DCIによってスケジュールされるPUSCHと共に前記DMRSを送信する機能と、を含む一連の機能を前記端末装置に発揮させ、前記受信されたRRC情報に基づいてDMRSにOCCが使用されないよう設定されている場合に、前記DCIによってスケジュールされるPUSCHと共に送信される前記DMRSの生成に関連する前記所定の系列は[1 1]であり、temporary C-RNTIが前記DCIの送信に用いられた場合に、前記DCIによってスケジュールされるPUSCHと共に送信される前記DMRSの生成に関連する前記所定の系列は[1 1]であり、前記受信されたRRC情報に基づいてDMRSにOCCが使用されるよう設定され、且つ、temporary C-RNTIが前記DCIの送信に用いられなかった場合、前記DCIによってスケジュールされるPUSCHと共に送信される前記DMRSの生成に関連する前記所定の系列は、前記DCIに含まれるサイクリックシフト情報に基づいて特定され、[1 1]および[1 -1]のうち何れかであることを特徴としている。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】